(57)【特許請求の範囲】
【請求項１】
家屋等の建築物の屋根に設置される、上面に換気孔が形成された換気構造体に取り付けられる積雪カバーであって、
金属板を切断及び折り曲げて成形したものよりなり、
平面視矩形形状であって、前記換気孔を覆う天面部と、
前記天面部の長手側の一方端部から下方に延び、前記換気構造体への取付時に前記換気構造体の軒先側端部よりも外方側に位置して、前記軒先側端部との隙間による第１通気部を形成する前面部と、
前記天面部の長手側の他方端部から下方に延び、前記天面部と形成する角の内角の角度が９０°以下に設定される後面部と、
少なくとも前記後面部に形成される第２通気部と、
前記天面部の短手側の両端部から各々垂下する一対の側面部とを備え、
前記換気構造体への取付時には、前記換気構造体の前記上面の上方に、前記第１通気部と前記第２通気部とを連通する通気経路を形成し、
前記第２通気部は、前記後面部から前記天面部の前記他方端部周辺にかけて形成される、積雪カバー。
【請求項２】
前記天面部には、前記換気構造体側に小ネジを挿入可能とする挿入孔が少なくとも１つ形成され、
更に、前記換気構造体の前記上面に設置され、前記天面部を前記換気構造体に対して固定するベース部材を少なくとも１つ備え、
前記ベース部材は、前記換気構造体への固定に用いられるビスを通す孔が形成された第１固定部と、
前記第１固定部よりも上方に位置し、前記天面部を載置可能であって前記小ネジを受けるネジ穴が、前記換気構造体の前記上面への設置時の平面視において、前記孔の位置とずれた位置に形成されている、第２固定部とを備える、請求項１記載の積雪カバー。
【請求項３】
前記側面部の各々の下方端部に接続し、前記側面部の各々の外面側に形成される載置部と、前記載置部の前記前面部側の端部に接続し、前記前面部側に垂れて前記軒先側端部を覆い、前記換気構造体まで貫通する固定具を打ち込み可能な前垂部とを有する、一対の取付部を備える、請求項１又は２記載の積雪カバー。
【請求項４】
家屋等の建築物の屋根に設置される、上面に換気孔が形成された換気構造体に取り付けられる積雪カバーであって、
金属板を切断及び折り曲げて成形したものよりなり、
平面視矩形形状であって、前記換気孔を覆う天面部と、
前記天面部の長手側の一方端部から下方に延び、前記換気構造体への取付時に前記換気構造体の軒先側端部よりも外方側に位置して、前記軒先側端部との隙間による第１通気部を形成する前面部と、
前記天面部の長手側の他方端部から下方に延び、前記天面部と形成する角の内角の角度が９０°以下に設定される後面部と、
少なくとも前記後面部に形成される第２通気部と、
前記天面部の短手側の両端部から各々垂下する一対の側面部とを備え、
前記換気構造体への取付時には、前記換気構造体の前記上面の上方に、前記第１通気部と前記第２通気部とを連通する通気経路を形成し、
前記天面部には、前記換気構造体側に小ネジを挿入可能とする挿入孔が少なくとも１つ形成され、
更に、前記換気構造体の前記上面に設置され、前記天面部を前記換気構造体に対して固定するベース部材を少なくとも１つ備え、
前記ベース部材は、前記換気構造体への固定に用いられるビスを通す孔が形成された第１固定部と、
前記第１固定部よりも上方に位置し、前記天面部を載置可能であって前記小ネジを受けるネジ穴が、前記換気構造体の前記上面への設置時の平面視において、前記孔の位置とずれた位置に形成されている、第２固定部とを備える、積雪カバー。
【請求項５】
前記側面部の各々の下方端部に接続し、前記側面部の各々の外面側に形成される載置部と、前記載置部の前記前面部側の端部に接続し、前記前面部側に垂れて前記軒先側端部を覆い、前記換気構造体まで貫通する固定具を打ち込み可能な前垂部とを有する、一対の取付部を備える、請求項４記載の積雪カバー。
【請求項６】
家屋等の建築物の屋根に設置される、上面に換気孔が形成された換気構造体に取り付けられる積雪カバーであって、
金属板を切断及び折り曲げて成形したものよりなり、
平面視矩形形状であって、前記換気孔を覆う天面部と、
前記天面部の長手側の一方端部から下方に延び、前記換気構造体への取付時に前記換気構造体の軒先側端部よりも外方側に位置して、前記軒先側端部との隙間による第１通気部を形成する前面部と、
前記天面部の長手側の他方端部から下方に延び、前記天面部と形成する角の内角の角度が９０°以下に設定される後面部と、
少なくとも前記後面部に形成される第２通気部と、
前記天面部の短手側の両端部から各々垂下する一対の側面部とを備え、
前記換気構造体への取付時には、前記換気構造体の前記上面の上方に、前記第１通気部と前記第２通気部とを連通する通気経路を形成し、
前記側面部の各々の下方端部に接続し、前記側面部の各々の外面側に形成される載置部と、前記載置部の前記前面部側の端部に接続し、前記前面部側に垂れて前記軒先側端部を覆い、前記換気構造体まで貫通する固定具を打ち込み可能な前垂部とを有する、一対の取付部を備える、積雪カバー。
【請求項７】
前記天面部と前記後面部とが形成する角の内角の角度は、９０°に設定される、請求項１から請求項６のいずれかに記載の積雪カバー。
【発明の詳細な説明】
【技術分野】
【０００１】
この発明は積雪カバーに関し、特に家屋の換気構造体に取り付けられる積雪カバーに関するものである。
【背景技術】
【０００２】
換気構造体内部への雪の侵入及び雪による換気孔（開口部）の埋もれを防ぐ積雪カバーとして、特許文献１に示すものが存在している。
【０００３】
図６は、特許文献１に示す屋根用板金役物に用いる従来の積雪用換気カバーの写真であり、図７は、図６で示した積雪用換気カバーの施工方法を示す説明図であり、図８は、図６で示した積雪用換気カバー及び積雪用換気カバーを取り付ける屋根用板金役物の断面模式図である。
【０００４】
まず、図６（ａ）及び（ｂ）を参照して、積雪用換気カバー６０は、カバー天面板材６１と、カバー天面板材６１の前端から下方へ垂下させたカバー前面板材６２と、カバー天面板材６１の後端から後方へ延出させたカバー後面板材６３と、カバー天面板材６１の両側端から下方へ垂下させたカバー側面板材６４ａ及び６４ｂと、カバー側面板材６４ａ及び６４ｂの各々の下端から側方へ延出させたカバー側方取付板材６５ａ及び６５ｂと、カバー後面板材６３の後端から後方へ延出させたカバー後方取付板材６６とを有している。カバー後面板材６３にはカバー第２開口部６７を設け、カバー側方取付板材６５ａ及び６５ｂとカバー後方取付板材６６とには、カバー取付ビス孔６８ａ〜６８ｅが形成されている。カバー天面板材６１の内面には、カバー位置決め材６９ａ及び６９ｂを設けている。
【０００５】
次に、図７（ａ）及び図８を参照して、屋根用板金役物７０が、建造物８０の屋根頂部に設置されている。
【０００６】
屋根用板金役物７０は、屋根面８１に配置される天面板材７１を有し、天面板材７１には、切り起こしにより天面板用開口部７２が形成されている。天面板材７１の下面には止水箱７３が取り付けられている。天面板材７１は、固定ビス７４ａ及び７４ｂによって屋根面８１に固定される。固定ビス７４ａ及び７４ｂのビス頭部７５ａ及び７５ｂは天面板材７１の上面に突出している。
【０００７】
積雪用換気カバー６０の屋根用板金役物７０への設置工程では、まず図７（ａ）を参照して、積雪用換気カバー６０の位置決め材６９ａ及び６９ｂをビス頭部７５ａ及び７５ｂにそれぞれ当接させて、屋根用板金役物７０に対する積雪用換気カバー６０の位置決めを行い、天面板用開口部７２を積雪用換気カバー６０にて覆う。
【０００８】
次に、図７（ｂ）及び図８を参照して、積雪用換気カバー６０の屋根用板金役物７０への留め付け工程を行う。留め付け工程では、カバー取付ビス孔６８ａ〜６８ｅの各々を介して、積雪用換気カバー６０と天面板材７１とをカバー固定ビス７６ａ〜７６ｅにて留め付ける。
【０００９】
このようにして積雪用換気カバー６０を屋根用板金役物７０に設置すると、カバー第２開口部６７に加えて、カバー前面板材６２の後方にカバー第１開口部７７が、カバー後面板材６３の両側端の下方にカバー第３開口部７８が、それぞれ形成される。尚、積雪荷重がカバー天面板材６１に加わってもカバー位置決め材６９ａ及び６９ｂが支えとなり、カバー天面板材６１と天面板材７１との間に形成する通風路７９が閉塞されることがない。
【先行技術文献】
【特許文献】
【００１０】
【特許文献１】特開２０１９−４４３４５号公報
【発明の概要】
【発明が解決しようとする課題】
【００１１】
特許文献１に示す上述のような積雪用換気カバー６０は、カバー後面板材６３のカバー天面板材６１に対する傾斜角αが９０°未満に設定されているため、設置状態におけるカバー後面板材６３の傾きは水平に近いものとなる。加えて、カバー後面板材６３はカバー天面板材６１の後端から後方へ延出するように形成されている。したがって、設置状態においてカバー後面板材６３は積雪しやすく、又、カバー後面板材６３に設けられたカバー第２開口部６７は、積雪によって埋もれやすいものとなっていた。
【００１２】
更に、積雪用換気カバー６０と屋根用板金役物７０とを留め付けているカバー固定ビス７６ａ〜７６ｅはいずれも積雪用換気カバー６０と天面板材７１とを貫通しているため、カバー固定ビス７６ａ〜７６ｅを介して雨水や雪解け水が屋根用板金役物７０の内部に浸入する虞もあった。
【００１３】
この発明は、上記のような課題を解決するためになされたもので、後面部に積雪しにくく、第２通気部が積雪によって埋もれにくい積雪カバーを提供することを目的とする。
【課題を解決するための手段】
【００１４】
上記の目的を達成するために、請求項１記載の発明は、家屋等の建築物の屋根に設置される、上面に換気孔が形成された換気構造体に取り付けられる積雪カバーであって、金属板を切断及び折り曲げて成形したものよりなり、平面視矩形形状であって、換気孔を覆う天面部と、天面部の長手側の一方端部から下方に延び、換気構造体への取付時に換気構造体の軒先側端部よりも外方側に位置して、軒先側端部との隙間による第１通気部を形成する前面部と、天面部の長手側の他方端部から下方に延び、天面部と形成する角の内角の角度が９０°以下に設定される後面部と、少なくとも後面部に形成される第２通気部と、天面部の短手側の両端部から各々垂下する一対の側面部とを備え、換気構造体への取付時には、換気構造体の上面の上方に、第１通気部と第２通気部とを連通する通気経路を形成し、第２通気部は、後面部から天面部の他方端部周辺にかけて形成されるものである。
【００１５】
このように構成すると、取付時に、後面部が水平方向に対して傾斜する。又、第２通気部の形成範囲が後面部と天面部とに跨る。
【００１６】
請求項２記載の発明は、請求項１記載の発明の構成において、天面部には、換気構造体側に小ネジを挿入可能とする挿入孔が少なくとも１つ形成され、更に、換気構造体の上面に設置され、天面部を換気構造体に対して固定するベース部材を少なくとも１つ備え、ベース部材は、換気構造体への固定に用いられるビスを通す孔が形成された第１固定部と、第１固定部よりも上方に位置し、天面部を載置可能であって小ネジを受けるネジ穴が、換気構造体の上面への設置時の平面視において、孔の位置とずれた位置に形成されている、第２固定部とを備えるものである。
【００１７】
このように構成すると、孔とネジ穴との水平方向における位置がずれる。
【００１８】
請求項３記載の発明は、請求項１又は請求項２記載の発明の構成において、側面部の各々の下方端部に接続し、側面部の各々の外面側に形成される載置部と、載置部の前面部側の端部に接続し、前面部側に垂れて軒先側端部を覆い、換気構造体まで貫通する固定具を打ち込み可能な前垂部とを有する、一対の取付部を備えるものである。
【００１９】
このように構成すると、換気構造体の軒先側端部における固定も可能となる。
【００２０】
請求項４記載の発明は、家屋等の建築物の屋根に設置される、上面に換気孔が形成された換気構造体に取り付けられる積雪カバーであって、金属板を切断及び折り曲げて成形したものよりなり、平面視矩形形状であって、換気孔を覆う天面部と、天面部の長手側の一方端部から下方に延び、換気構造体への取付時に換気構造体の軒先側端部よりも外方側に位置して、軒先側端部との隙間による第１通気部を形成する前面部と、天面部の長手側の他方端部から下方に延び、天面部と形成する角の内角の角度が９０°以下に設定される後面部と、少なくとも後面部に形成される第２通気部と、天面部の短手側の両端部から各々垂下する一対の側面部とを備え、換気構造体への取付時には、換気構造体の上面の上方に、第１通気部と第２通気部とを連通する通気経路を形成し、天面部には、換気構造体側に小ネジを挿入可能とする挿入孔が少なくとも１つ形成され、更に、換気構造体の上面に設置され、天面部を換気構造体に対して固定するベース部材を少なくとも１つ備え、ベース部材は、換気構造体への固定に用いられるビスを通す孔が形成された第１固定部と、第１固定部よりも上方に位置し、天面部を載置可能であって小ネジを受けるネジ穴が、換気構造体の上面への設置時の平面視において、孔の位置とずれた位置に形成されている、第２固定部とを備えるものである。
【００２１】
このように構成すると、孔とネジ穴との水平方向における位置がずれる。又、取付時に、後面部が水平方向に対して傾斜する。
【００２２】
請求項５記載の発明は、請求項４記載の発明の構成において、側面部の各々の下方端部に接続し、側面部の各々の外面側に形成される載置部と、載置部の前面部側の端部に接続し、前面部側に垂れて軒先側端部を覆い、換気構造体まで貫通する固定具を打ち込み可能な前垂部とを有する、一対の取付部を備えるものである。
【００２３】
このように構成すると、換気構造体の軒先側端部における固定も可能となる。
請求項６記載の発明は、家屋等の建築物の屋根に設置される、上面に換気孔が形成された換気構造体に取り付けられる積雪カバーであって、金属板を切断及び折り曲げて成形したものよりなり、平面視矩形形状であって、換気孔を覆う天面部と、天面部の長手側の一方端部から下方に延び、換気構造体への取付時に換気構造体の軒先側端部よりも外方側に位置して、軒先側端部との隙間による第１通気部を形成する前面部と、天面部の長手側の他方端部から下方に延び、天面部と形成する角の内角の角度が９０°以下に設定される後面部と、少なくとも後面部に形成される第２通気部と、天面部の短手側の両端部から各々垂下する一対の側面部とを備え、換気構造体への取付時には、換気構造体の上面の上方に、第１通気部と第２通気部とを連通する通気経路を形成し、側面部の各々の下方端部に接続し、側面部の各々の外面側に形成される載置部と、載置部の前面部側の端部に接続し、前面部側に垂れて軒先側端部を覆い、換気構造体まで貫通する固定具を打ち込み可能な前垂部とを有する、一対の取付部を備えるものである。
このように構成すると、換気構造体の軒先側端部における固定も可能となる。又、取付時に、後面部が水平方向に対して傾斜する。
請求項７記載の発明は、請求項１から請求項６のいずれかに記載の発明の構成において、天面部と後面部とが形成する角の内角の角度は、９０°に設定されるものである。
このように構成すると、天面部と換気構造体の上面との距離が最長になる。
【発明の効果】
【００２４】
以上説明したように、請求項１記載の発明は、取付時に、後面部が水平方向に対して傾斜するので、後面部に積雪しにくく、第２通気部が積雪によって埋もれにくい。又、第２通気部の形成範囲が後面部と天面部とに跨るので、第２通気部が積雪によってより埋もれにくい。
【００２５】
請求項２記載の発明は、請求項１記載の発明の効果に加えて、孔とネジ穴との水平方向における位置がずれるので、天面部の固定部分から浸入した雨水が、換気構造体内部にまでは浸入しにくくなる。
【００２６】
請求項３記載の発明は、請求項１又は請求項２記載の発明の効果に加えて、換気構造体の軒先側端部における固定も可能となるので、換気構造体内部への雨水浸入を防止しつつ、より頑強に固定できる。
【００２７】
請求項４記載の発明は、孔とネジ穴との水平方向における位置がずれるので、天面部の固定部分から浸入した雨水が、換気構造体内部にまでは浸入しにくくなる。又、取付時に、後面部が水平方向に対して傾斜するので、後面部に積雪しにくく、第２通気部が積雪によって埋もれにくい。
【００２８】
請求項５記載の発明は、請求項４記載の発明の効果に加えて、換気構造体の軒先側端部における固定も可能となるので、換気構造体内部への雨水浸入を防止しつつ、より頑強に固定できる。
請求項６記載の発明は、換気構造体の軒先側端部における固定も可能となるので、換気構造体内部への雨水浸入を防止しつつ、より頑強に固定できる。又、取付時に、後面部が水平方向に対して傾斜するので、後面部に積雪しにくく、第２通気部が積雪によって埋もれにくい。
請求項７記載の発明は、請求項１から請求項６のいずれかに記載の発明の効果に加えて、天面部と換気構造体の上面との距離が最長になるので、通気経路が広がり、通気良好となる。
【図面の簡単な説明】
【００２９】
【図１】この発明の第１の実施の形態による積雪カバーの外観形状を示す斜視図である。
【図２】図１で示した積雪カバーの固定に用いるベース部材の斜視図である。
【図３】図１で示した積雪カバーの取付方法を示す模式図である。
【図４】図３で示した取付方法にて取り付けられた積雪カバーの取付状態を示す斜視図である。
【図５】図４で示したＶ−Ｖラインの断面模式図であって、積雪カバーの納まり例を示した断面模式図である。
【図６】特許文献１に示す屋根用板金役物に用いる従来の積雪用換気カバーの写真である。
【図７】図６で示した積雪用換気カバーの施工方法を示す説明図である。
【図８】図６で示した積雪用換気カバー及び積雪用換気カバーを取り付ける屋根用板金役物の断面模式図である。
【発明を実施するための形態】
【００３０】
図１は、この発明の第１の実施の形態による積雪カバーの外観形状を示す斜視図である。
【００３１】
図を参照して、積雪カバー１０は、板厚０．３５ｍｍのガルバリウムカラー鋼板を切断及び折り曲げて成形したものよりなり、平面視矩形形状の天面部１１と、天面部１１の長手側の一方端部１２から下方に延びる前面部１３と、天面部１１の長手側の他方端部１４から下方に延びる後面部１５と、天面部１１の短手側の両端部から各々垂下する一対の側面部１６ａ及び１６ｂと、側面部１６ａ及び１６ｂの各々の下方端部に接続する一対の取付部１７ａ及び１７ｂとを備える。取付部１７ａは側面部１６ａの下方端部に接続し、側面部１６ａの外面側に形成される載置部１８ａと、載置部１８ａの前面部１３側端部に接続し、前面部１３側に垂れる前垂部１９ａとを有する。取付部１７ｂも取付部１７ａと同様の構成よりなり、載置部１８ｂ及び前垂部１９ｂを有する。前面部１３と側面部１６ａとは各々の短手辺の一方同士が当接するように位置し、図に示すように、前面部１３及び側面部１６ａの内面を掛け渡すように配置したＬ字型鋼板を、リベット等の留め具で前面部１３及び側面部１６ａの各々の外面から留め付けることにより、互いを拘束している。このようにすると、前面部１３と側面部１６ａとの位置が安定し、前面部１３と側面部１６ａとに隙間が生じにくくなる。図示は省略するが、前面部１３と側面部１６ｂ、後面部１５と側面部１６ａ及び１６ｂも同様の位置関係及び構成を有する。このようにすると、積雪カバー１０の形状が安定すると共に、強度が向上する。
【００３２】
尚、後面部１５から天面部１１の他方端部１４周辺にかけて、複数の長角孔を等間隔に帯状に配置したものよりなる第２通気部２２が形成されている。このように構成すると、第２通気部２２の形成範囲が後面部１５と天面部１１とに跨る。又、天面部１１には２つの挿入孔２３ａ及び２３ｂが、前垂部１９ａにはビス穴２４ａが、前垂部１９ｂにはビス穴２４ｂが、それぞれ形成されている。これらのように構成したことによる効果は後述する。
【００３３】
積雪カバー１０は、後述する１．５尺タイプの換気棟に適合するように、天面部１１の長手辺の長さは５３５ｍｍに、短手辺の長さは８０ｍｍに、前面部１３及び後面部１５の短手辺の長さは１５ｍｍに、載置部１８ａ及び１８ｂの長手辺の長さは６２．５ｍｍに、短手辺の長さは３０ｍｍに、前垂部１９ａ及び１９ｂの短手辺（垂れ方向）の長さは１７ｍｍに、それぞれ設定されている。前面部１３の下方端部の全域及び後面部１５の下方端部の一部には、補強及び安全性向上のため、各々の内面側への折り返しが施されている。又、挿入孔２３ａ及び２３ｂは６ｍｍ×１５ｍｍの長丸形状に形成され、天面部１１の一方端部１２からの距離が５３ｍｍ、近傍の天面部１１の短手辺からの距離が４０ｍｍ（挿入孔２３ａと２３ｂとの間隔が４５５ｍｍ）の位置に、各々の中心が位置するようにそれぞれ配置されている。第２通気部２２を構成する長角孔はいずれも３ｍｍ×１２ｍｍの矩形形状を折り曲げたものよりなり、長手辺が、天面部１１の側に３ｍｍ、後面部１５の側に９ｍｍとなるように配置されている。ビス穴２４ａ及び２４ｂは直径２ｍｍの円形に形成され、前垂部１９ａの短手辺（側面部１６ａから遠い側）及び前垂部１９ｂの短手辺（側面部１６ｂから遠い側）からの距離が１５ｍｍの位置に、それぞれ配置されている。
【００３４】
尚、天面部１１と後面部１５とが形成する角の内角θの角度は９０°に設定されている。このように構成したことによる効果も後述する。
【００３５】
図２は、図１で示した積雪カバーの固定に用いるベース部材の斜視図であり、図３は、図１で示した積雪カバーの取付方法を示す模式図であり、図４は、図３で示した取付方法にて取り付けられた積雪カバーの取付状態を示す斜視図であり、図５は、図４で示したＶ−Ｖラインの断面模式図であって、積雪カバーの納まり例を示した断面模式図である。
【００３６】
まず、図２及び図３を参照して、ベース部材３０ａはガルバリウムカラー鋼板を折り曲げ形成したものよりなり、平面視矩形形状の第１固定部３１と、第１固定部３１の長手側の一方端部３３より連続して立ち上がり側面視逆Ｌ字型に形成されて、積雪カバー１０の天面部１１を載置可能とする第２固定部３２ａと、第１固定部３１ａの長手側の他方端部３４より斜め下方に垂れる当接部３５と、第２固定部３２ａの端部３６より連続し側面視Ｌ字型に形成されている載置部３７とを備える。第１固定部３１には後述する固定用ビス４１ａを通す孔３８が形成され、第２固定部３２ａの上面には後述する小ネジ４２ａを受けるネジ穴３９ａが形成されている。尚、第２固定部３２ａが上述のように形成されているので、第２固定部３２ａの上面及びネジ穴３９ａは第１固定部３１よりも上方に位置し、又、ネジ穴３９ａは平面視において孔３８の位置とずれた位置に位置する。このように構成したことによる効果は後述する。ベース部材３０ｂもベース部材３０ａと同様の構成よりなる。
【００３７】
次に、図３から図５を参照して、換気棟５０への積雪カバー１０の取付方法を説明する。
【００３８】
取付方法の説明に先立って、まず、換気棟５０の構成について説明する。換気棟５０は切妻又は寄棟屋根に設置される１．５尺タイプのものであって、図５に示すような側面視山型形状を有し、換気棟５０の頂上部分を境に構成が左右対称となるものである（図５において図示が省略されている右側の構成は、左側の構成を左右対称にしたものである）。尚、説明の便宜上、図３及び図４では図５に示す左側の構成のみを図示する。換気棟５０は、上面５１に切り起こし孔よりなる複数の換気孔５２が形成されているものであり、上面５１の軒先側端部５３には下方に延びる前面板部５４が形成されている。
【００３９】
換気棟５０の屋根への設置にあたっては、図５に示すように、垂木５５ａ及び５５ｂ、屋根下地５６ａ及び５６ｂ、屋根材等５７ａ及び５７ｂの各々の間の空間５８と捨水切５９ａ及び５９ｂとを覆うように、換気棟５０を屋根材等５７ａ及び５７ｂの上面に配置する。
【００４０】
続いてベース部材３０ａを、換気孔５２を塞がず、且つ、積雪カバー１０の挿入孔２３ａに対応する位置に配置し、当接部３５と前面板部５４とを当接させると共に載置部３７を上面５１に載置する。この状態で固定用ビス４１ａを、第１固定部３１の孔３８を介してベース部材３０ａの上方から、上面５１、屋根材等５７ａ及び屋根下地５６ａを貫通して垂木５５ａに到達するように打ち込み、換気棟５０にベース部材３０ａを固定すると共に換気棟５０を屋根に固定する。このように固定すると、前面板部５４によって当接部３５の移動が制限されるため、ベース部材３０ａの配置位置を決めやすく、又、固定用ビス４１ａを軸にベース部材３０ａが回転することもないので、ベース部材３０ａの設置状態が安定する。更に、ベース部材３０ａと換気棟５０とをまとめて一度に固定でき、簡便である。尚、このように設置されたベース部材３０ａにおいても、平面視において孔３８がネジ穴３９ａの外方側に位置する、すなわちネジ穴３９ａと孔３８とは水平方向における位置がずれている。ベース部材３０ｂもベース部材３０ａと同様の位置及び工程にて、固定用ビス４１ｂを用いて換気棟５０に固定、設置する。
【００４１】
次に、ベース部材３０ａの第２固定部３２ａの上面及びベース部材３０ｂの第２固定部３２ｂの上面に積雪カバー１０の天面部１１を載置して換気孔５２を天面部１１で覆い、前面板部５４に前垂部１９ａ及び１９ｂを当接させて軒先側端部５３の一部を前垂部１９ａ及び１９ｂで覆う。更に、挿入孔２３ａ及び２３ｂの位置をネジ穴３９ａ及び３９ｂに合わせる。
【００４２】
尚、挿入孔２３ａ及び２３ｂの寸法は上述の通りであり、いずれも小ネジ４２ａ又は４２ｂを換気材５０の側に挿入できるものとなっている。このような挿入孔２３ａ及び２３ｂに小ネジ４２ａ及び４２ｂをそれぞれ挿入し、ネジ穴３９ａ及び３９ｂにねじ入れて小ネジ４２ａ及び４２ｂを軽く締め、天面部１１を換気棟５０に対して仮止めする。
【００４３】
ここで、上述したようにベース部材３０ａの設置時においてネジ穴３９ａと孔３８との水平方向における位置がずれているから、図５にて示すように、ベース部材３０ａの天面部１１に対する固定部分と、換気棟５０に対する固定部分とが分離したものとなる。このように構成すると、天面部１１との固定部分である挿入孔２３ａ、小ネジ４２ａ及びネジ穴３９ａとの隙間から浸入した雨水が、換気棟５０の内部にまでは浸入しにくくなる。ベース部材３０ｂにおいても同様である。
【００４４】
最後に、ビス穴２４ａ及び２４ｂを介して、前垂部１９ａ及び１９ｂの外面から換気棟５０に向けて、換気棟５０を貫通するようにビス４３ａ及び４３ｂをそれぞれ打ち込み、積雪カバー１０を留め付けた後、小ネジ４２ａ及び４２ｂを本締めして換気棟５０への積雪カバー１０の取付を完了する。
【００４５】
このように構成すると、換気棟５０の軒先側端部５３及び前面板部５４における、すなわち、換気棟５０の上面５１以外の箇所における積雪カバー１０の固定も可能となるので、換気棟５０内部への雨水浸入を防止しつつ、より頑強に固定できる。
【００４６】
積雪カバー１０が換気棟５０に取り付けられた状態においては、積雪カバー１０とベース部材３０ａ及び３０ｂとの寸法が上述のように設定されていることから、図５にて示すように、積雪カバー１０の前面部１３が軒先側端部５３及び前面板部５４よりも外方側に位置する。そして、前面部１３と軒先側端部５３及び前面板部５４との隙間に第１通気部２１が形成される。この第１通気部２１の形成により、換気棟５０の上面５１の上方に第１通気部２１と第２通気部２２とを連通する通気経路２５が形成され、図５の点線矢印にて示すように空気が流れる。よって、降雪時においても換気棟５０の換気性能を維持することができる。又、積雪による荷重が天面部１１にかかっても、ベース部材３０ａ及び３０ｂにより天面部１１のたわみが抑制され、通気経路２５が潰れにくい。
【００４７】
尚、上述したように、積雪カバー１０の天面部１１と後面部１５とが形成する角の内角θの角度は９０°に設定されている。よって、積雪カバー１０の取付時には後面部１５は換気棟５０の上面５１に対して直立し、水平方向に対して傾斜するものとなっている。このように構成すると、後面部１５に積雪しにくく、第２通気部２２が積雪によって埋もれにくい。又、天面部１１と換気棟５０の上面５１との距離が後面部１５の短手辺の長さと同じに、すなわち最長となるため、通気経路２５が広がり、通気良好となる。
【００４８】
更に、第２通気部２２の形成範囲が後面部１５と天面部１１とに跨っているので、積雪カバー１０と上面５１との鉛直距離において最も遠い位置にも第２通気部２２が形成されている。このように構成すると、第２通気部２２の全てを埋めるのに要する積雪高さが高くなり、又、後面部１５及び天面部１１のいずれか一方が積雪により埋もれても、他方が埋もれなければ第２通気部２２が完全に埋もれなくなるので、第２積雪部２２が積雪によってより、埋もれにくいものとなる。
【００４９】
尚、上記の第１の実施の形態では、積雪カバーは側面視山型形状の換気棟に取り付けられるものであったが、片流れ屋根に設置される換気棟や、下屋取合いに設置される換気雨押え等、上面に換気孔が形成されている他の換気構造体に取り付けられるものであってもよい。
【００５０】
又、上記の第１の実施の形態では、積雪カバー及びベース部材はガルバリウムカラー鋼板よりなるものであったが、他の金属板よりなるものであってもよい。
【００５１】
更に、上記の第１の実施の形態では、第２通気部は後面部から天面部にかけて形成されるものであったが、少なくとも後面部に形成されていればよい。
【００５２】
更に、上記の第１の実施の形態では、第２通気部は複数の長角孔を等間隔に帯状に配置したものよりなっていたが、切り起こしや横長孔等、複数の他の形状の孔よりなるものであってもよく、配置が不規則であってもよい。又、単一の孔よりなってもよい。
【００５３】
更に、上記の第１の実施の形態では、積雪カバーの天面部と後面部との角の内角θの角度は９０°に設定されていたが、９０°以下に設定されていればよい。尚、内角θの角度が「９０°−屋根の傾斜角度」以下に設定されると、後面部が天面部の下方に隠れ、又、「９０°−屋根の傾斜角度」に設定されると、後面部が水平面に対して垂直になるため、後面部に積雪せず第２通気部が埋もれにくくなる。
【００５４】
更に、上記の第１の実施の形態では、積雪カバーはベース部材及びベース部材に対応する挿入孔を各々２つ備えるものであったが、少なくとも１つずつ備えるものであればよく、３つ以上ずつ備えるものであってもよい。又、ベース部材及び挿入孔を備えず他の固定部材等を用いるものであってもよい。
【００５５】
更に、上記の第１の実施の形態では、ベース部材は特定形状を有するものであったが、第２固定部が第１固定部よりも上方に位置し、ベース部材設置時の平面視においてネジ穴の位置が孔の位置とずれた位置に形成されているものであれば他の形状であってもよい。
【００５６】
更に、上記の第１の実施の形態では、積雪カバーの前垂部はビス穴が形成されているものであったが、ビスや釘等の固定具を打ち込み可能なものであればよい。
【００５７】
更に、上記の第１の実施の形態では、ビスは換気棟を貫通して積雪カバーと換気棟とを留め付けるのみのものであったが、屋根材にまで到達するものでもよく、又、ビス以外に釘等他の固定具を用いてもよい。
【００５８】
更に、上記の第１の実施の形態では、取付部は前垂部を備えるものであったが、無くてもよい。
【００５９】
更に、上記の第１の実施の形態では、積雪カバーは一対の取付部を備えるものであったが、無くてもよい。
【００６０】
更に、上記の第１の実施の形態では、積雪カバーは、所定寸法よりなり１．５尺タイプの換気棟に適合するものであったが、他の寸法よりなるもの、例えば３尺タイプや６尺タイプの換気構造体に適合するものであってもよい。
【００６１】
更に、上記の第１の実施の形態では、貫通孔は長丸形状のものであったが、他の形状であってもよい。
【００６２】
更に、上記の第１の実施の形態では、ベース部材により天面部のたわみが抑制されていたが、天面部のたわみを抑制する他の部材を備えてもよい。
【００６３】
更に、上記の第１の実施の形態では、側面部の各々と前面部又は後面部は特定の位置関係を有し特定の部材により互いに拘束されていたが、他の部材により拘束されてもよく、又、拘束されず他の位置関係を有していてもよい。
【００６４】
更に、上記の第１の実施の形態では、前面部及び後面部の所定範囲に折り返しが施されていたが、範囲が異なってもよく、又、折り返しが施されていなくてもよい。
【符号の説明】
【００６５】
１０…積雪カバー
１１…天面部
１２…一方端部
１３…前面部
１４…他方端部
１５…後面部
１６ａ、１６ｂ…側面部
１７ａ、１７ｂ…取付部
１８ａ、１８ｂ…載置部
１９ａ、１９ｂ…前垂部
２１…第１通気部
２２…第２通気部
２３ａ、２３ｂ…挿入孔
２４ａ、２４ｂ…ビス穴
２５…通気経路
３０ａ、３０ｂ…ベース部材
３１…第１固定部
３２ａ、３２ｂ…第２固定部
３８…孔
３９ａ、３９ｂ…ネジ穴
４１ａ、４１ｂ…固定用ビス
４２ａ、４２ｂ…小ネジ
４３ａ、４３ｂ…ビス
５０…換気棟
５１…上面
５２…換気孔
５３…軒先側端部
５４…前面板部
尚、各図中同一符号は同一又は相当部分を示す。
【要約】
【課題】  後面部に積雪しにくく、第２通気部が積雪によって埋もれにくい積雪カバーを提供する。
【解決手段】  積雪カバー１０は、鋼板を切断及び折り曲げて成形したものよりなり、天面部１１と、前面部１３と、後面部１５と、一対の側面部及び取付部とを備える。天面部１１と後面部１５とが形成する角の内角θは９０°に設定され、後面部１５から天面部１１にかけては第２通気部２２が形成されている。積雪カバー１０が換気棟５０に取り付けられた状態においては、前面部１３と軒先側端部５３及び前面板部５４との隙間に第１通気部２１が形成され、第１通気部２１と第２通気部２２とを連通する通気経路２５が上面５１の上方に形成される。又、後面部１５が水平方向に対して傾斜し、後面部１５に積雪しにくく、且つ、第２通気部２２が積雪によって埋もれにくいものとなっている。
【選択図】  図５【図１】
0006870879.tif 000002
【図２】
0006870879.tif 000003
【図３】
0006870879.tif 000004
【図４】
0006870879.tif 000005
【図５】
0006870879.tif 000006
【図６】
0006870879.tif 000007
【図７】
0006870879.tif 000008
【図８】
0006870879.tif 000009